(57)【特許請求の範囲】
【請求項１】
縦または横に略隙間なく連結する連結手段を備えた連結構造体において、
略扁平で平面四辺形の基板と、該基板上に形成された柱状の突部とを有しており、
前記基板の縦または横の辺の対向する端部に設けられた第１連結構成部の一方が略山形状に折り返されて係止凹溝部を形成し突部と同じ方向に突出する係止受部となり、
他方が上記係止凹溝部に係止可能に立ち上がる係止突片とからなり、
上記連結構造体を連結して、第１連結構成部が形成する周壁で挟まれた部分に植物を植えることができるようにしたことを特徴とした連結構造体。
【請求項２】
屋上に連結構造体を連結して敷設し、屋上庭園を形成しうることを特徴とする請求項１に記載の連結構造体
【発明の詳細な説明】
【０００１】
【発明の属する技術分野】
本発明は、縦または横に連結することができる連結構造体の改良に関する。
【０００２】
【従来の技術】
流体や気体の流路を形成する場合、樋や筒等を一体に形成したり、分割したものを連結するなどしているが、いずれも構造や施工が複雑となる等の欠点があった。
また、廃棄物処分場などのような埋立地においては、浸出水を排水するために砂や砂利の天然排水材を用いたり、ポリエチレンや不織布からなるネット状のシートを敷設して排水層を形成している。
しかし、上記天然排水材では、設置に手間がかかり、また排水をスムーズに行いにくく、更に、上下多段に独立した流路を形成することは困難である。
【０００３】
【発明が解決しようとする課題】
本発明は上記事情に鑑みてなされたものであって、施工が簡単であると共に、強度を有する突部を有する連結構造体を複数連結して、隣接する第１連結構成部間に植物を植生することができる連結構造体を提供することにある。
【０００４】
【課題を解決するための手段】
上記課題を解決するために、請求項１の連結構造体では、
縦または横に略隙間なく連結する連結手段を備えた連結構造体において、
略扁平で平面四辺形の基板と、該基板上に形成された柱状の突部とを有しており、
前記基板の縦または横の辺の対向する端部に設けられた第１連結構成部の一方が略山形状に折り返されて係止凹溝部を形成し突部と同じ方向に突出する係止受部となり、
他方が上記係止凹溝部に係止可能に立ち上がる係止突片とからなり、
上記連結構造体を連結して、第１連結構成部が形成する周壁で挟まれた部分に植物を植えることができるようにした、という技術的手段を講じている。
また、請求項２の発明では、
屋上に連結構造体を連結して敷設し、屋上庭園を形成しうる、という技術的手段を講じている。
【０００５】
【発明の実施の形態】
以下に、本発明の連結構造体の好適実施例について図面を参照しながら説明する。
図１から図６に示す連結構造体１は、本実施例の場合に硬質の合成樹脂材からなっており、平面矩形のプレートからなる基板２上に略等間隔に柱状の突部３を一連に複数突設した構造からなっている。
ここで連結構造体１の素材は、用途に応じて適宜変更することができ、金属製、陶磁性、その他適宜の素材を用いることができ、特に実施例に限定されるものではない。
【０００６】
そして、突部３は、図示例の場合、基板２上に縦横３列、合計９個設けられており、基板２の底面で開口３ａして、頂部３ｂを閉塞した截頭円錐形状の筒部からなっている（図４参照）。
また、この連結構造体１の縦横への連結手段として第１連結構成部と第２連結構成部が形成されている。
第１連結構成部は、縦横の一方（例えば横とする）の両端に設けられた係止受部４と係止突片５とからなっている。
【０００７】
この係止受部４は、図示例の場合に突部３と略同じ高さ（必要に応じて突部３より高くても低くても良い）で略山形状に折り返されて係止凹溝部４ａを形成している。
また、係止突片５は、上記係止凹溝部４ａ内に嵌合可能に僅かに後方へ傾斜する突出片からなっている。
【０００８】
従って、図６で示すように、前後に連結される連結構造体（説明の便宜上１と１’とする）の一方（後方）の連結構造体１’の係止凹溝部４ａ’に他方（前方）の連結構造体の係止突片５を嵌合係止して連結する。
この連結に際して係止凹溝部５ａ’の隙間にシール部材Ｓを嵌着する等して、両連結構造体の連結部分を密封するようにしてもよい。
なお、図示例の場合に上記係止凹溝部４ａ、４ａ’が、やや後方へ傾斜した倒立断面略ＶまたはＵ字状の溝からなっているので、係止突片５、５’を適宜傾斜させた状態で係合することができ、係止凹溝部の溝の厚みを係止突片の厚みよりもやや大きく設定することにより、設置面の傾斜や凹凸に合わせて多少撓ませて連結することができる。
【０００９】
次に、第２連結構成部は、図４に示すように、縦横の他方（例えば縦とする）の両端に設けられた凹溝部６ａを有する受部６と該凹溝部６ａに係合される突片７とからなっている。
従って、図１０に示すように、一方の連結構造体１の突片７を隣接する他方の連結構造体１”の凹溝部６ａ”に嵌合係止して、縦方向に隣接する連結構造体（１と１”とする）相互を、隙間無く連結することができる。
ここで突片７は基板２と段違い平行状で水平に突出されており、受部６はその凹溝部６ａに上記突片７が整合するよう水平に突出している。
【００１０】
図７には第２連結構成部の異なる実施例を示す。
この第２連結構成部は、両方ともに凹溝部６ａを有する受部６からなっており、別体の係止具７’を介して両者を連結する構造からなっている。
この場合、別体の係止具７’としては、波板状のバネ材を用いたので、隣接する連結構成体１，１を撓ませて連結することができる。
そして、この連結にさいしても、対向する受部６，６を密着しあるいはシール部材（図示せず）で隙間を塞ぐようにして連結部分を密封することができる。
【００１１】
これにより、左右方向に連結された多数の連結構造体は各基板２が一連に連続する面に設定され、また突部３と係止受部４の隙間Ｓ１、突部３と突部３の間の隙間Ｓ２、突部３と係止突片５の間の隙間Ｓ３が隣接する連結構造体でそれぞれ整合するので、左右方向に連続する一連の流路Ｌを形成することができる（図６参照）。
そして前後方向では、第１連結構成部４と５の係合個所が上記流路を形成する一連の周壁として機能する。
【００１２】
また、連結構造体は、連結時に隙間無く連結されるので防水効果がある。
係合部分をシールすれば一層防水効果を高めることができる。
そして、上記第１連結構成部が形成する周壁で囲まれた部分に砕石や土を入れ、植物を植えたり、芝生を植えたりする。
従って、屋上等にこの連結構造体を連結して敷設すれば屋上庭園を造ることができる。
【００１３】
このように形成される連結構造体１は、設置面に載置して使用に供されるが、設置面に固定したり、係止したりしてもよい。
固定方法としては設置面に接着剤を用いて接着する方法や固定ネジ、固定ボルトを使って固定する方法など、公知の固定手段を用いることができる。
また、係止手段としては、例えば図９に示すように、傾斜地に連結構造体１を配置する場合の係止構造の一例が示してある。
この場合、傾斜する設置面に杭などのバー部材１０を固定しておく。
このバー部材１０は、連結構造体１の突部３の少なくとの１つと整合するように配置しておく。
これにより、設置面に固定されたバー部材１０が突部３の中空内に嵌合し、連結構造体１を係止するので、傾斜面であっても連結構造体１を所定の位置に保持することができる。
【００１４】
また、上記突部３は中空であるので、中空内に砂利やコンクリートを充填して固まらせて中実の柱として利用し、支持力を高めることができる。
あるいは突部３の開口部分だけを閉塞し、あるいは中空内に合成樹脂発泡体を充填する等して、水面に連結構造体を浮かせるようにしてもよい。
また突部３の頂面に孔３ｃを設けて基板２の裏面の下側の空気を突部中空を介して上部（外部）へ放出しうるようにしてもよい（図４参照）。
【００１５】
また、このように形成された連結構造体１は、上下連結手段により上下に連結することもできる。
これにより、連結構造体の上段と下段とが独立した流路を形成することができる。
ここで上下連結手段は、連結構造体に一体に形成されるものでも、別体に設けられて両者を上下に連結する構造であってもよい。
図１０に示す一例の場合、連結構造体１とは別体の上下連結具８からなっており、上下に重ねられた突部（説明上３と３’とする）を係止することができるようになっている。
【００１６】
この上下連結具６は、中心から上下対称に突出する截頭円錐形状の係止筒体８ａ、８ｂからなっており、上下に開口を有している。
そして、この係止筒体８ａ、８ｂの外周は、突部３の内部中空の下部側に嵌合可能となっている。
また係止筒体８ａ、８ｂの凹部は突部３の上部側に外嵌可能となっている。
【００１７】
従って、上下に配置された連結構造体１の突部３をそれぞれ整合しておき、上下連結具８によって、上段の連結構造体１の突部３の内部中空内に上方の係止筒体８ａの先端を嵌挿し、下段の連結構造体１の突部３に下方の係止筒体８ｂの下端を外嵌することにより両者を上下に係止することができる。
尚、図中２０は、連結構造体の最上段に配置されるカバー板であって、最上段の連結構造体に上方が塞がれた流路を形成するために用いる。
このカバー板２０には散点状に孔を設けて通気孔としてもよい。
【００１８】
このようにして、連結構造体１は、縦または横方向および上下方向に連結して、一連の流路Ｌを形成することができる。
そして縦または横方向に連結された連結構造体は廃棄物の埋立地の底部に埋設されて、雨水などの排水を処理する構造としたり、地下の貯水部としたり、上下に積み重ねて通気部とする等種々に利用することができる。
【００１９】
また、上記実施例では、突部を筒体にした場合を例示したが、中実の柱体であってもよい。またその形状も断面角形、断面多角形、断面楕円形など適宜に設定することができる。
また、連結構造体の連結構造は、実施例に限定されるものではないが、一方は流路を形成するように周壁となり、他方は開放されているのが好ましい。
本実施例では、第１連結構成部と直交する側は端縁に沿って全て開放したが、一部であってもよく、これが連結された際に多数の連結構造体で連続連通するものであればよい。
【００２０】
【発明の効果】
以上詳述した如く、本発明は、施工が簡単であると共に、強度を有する突部を有する連結構造体を複数連結して、隣接する第１連結構成部間に植物を植生することができ、屋上に敷設すれば容易に屋上庭園を形成することができる。
【図面の簡単な説明】
【図１】  実施例の連結構造体を示す斜視図である。
【図２】  同側面図である。
【図３】  側面からみた断面図である。
【図４】  別の角度からの断面図である。
【図５】  平面図である。
【図６】  連結状態を示す側面図である。
【図７】  第２連結構造の異なる実施例を示す連結構造体の断面図である。
【図８】  同連結状態を示す要部断面図である。
【図９】  傾斜面に取り付ける場合を示す説明図である。
【図１０】  上下に連結した場合の断面図である。
【符号の説明】
１…連結構造体
２…基板
３…突部
４…係止受部
５…係止突片
６…受部
７…突片
１０…バー部材
【図１】
0004068689.tif 000002
【図２】
0004068689.tif 000003
【図３】
0004068689.tif 000004
【図４】
0004068689.tif 000005
【図５】
0004068689.tif 000006
【図６】
0004068689.tif 000007
【図７】
0004068689.tif 000008
【図８】
0004068689.tif 000009
【図９】
0004068689.tif 000010
【図１０】
0004068689.tif 000011